(57)【要約】【課題】折り畳むことができるうえに、より高い強度を確保することのできる帽子用保護具、及び該帽子用保護具が取り付けられた帽子を提供する。【解決手段】帽子用保護具１０は、樹脂材料から形成され、帽子の頂部に対応する椀状の頂部外部材１００と、頂部外部材１００よりも軟質の樹脂材料から形成され、前記頂部外部材の椀状の内側に配置される頂部内部材１２０と、頂部外部材１００と同等の硬度の樹脂材料から形成され、頂部外部材１００の辺の一部に沿う辺１２ａを有し、頂部外部材１００の辺の一部に沿う辺１２ａが、対応する頂部外部材の辺の一部に当接するように配置される椀状の周辺外部材２００と、周辺外部材２００よりも軟質の樹脂材料から形成され、周辺外部材２００の椀状の内側に配置される周辺内部材２１０と、頂部内部材１２０の内面と周辺内部材２１０の内面とに跨って配置される連結部材２２０とを備える。【選択図】図４
2014234563.tif 000002
【特許請求の範囲】
【請求項１】
帽子の内側に組み合わされることによって帽子に必要とされる衝撃吸収性能を確保する帽子用保護具であって、
樹脂材料から形成され、帽子の頂部に対応する椀状の頂部外部材と、
前記頂部外部材よりも軟質の樹脂材料から形成され、前記頂部外部材の椀状の内側に配置される頂部内部材と、
前記頂部外部材と同等の硬度の樹脂材料から形成され、前記頂部外部材の辺の一部に沿う辺を有し、該頂部外部材の辺の一部に沿う辺が、対応する頂部外部材の辺の一部に当接するように配置される椀状の周辺外部材と、
前記周辺外部材よりも軟質の樹脂材料から形成され、前記周辺外部材の椀状の内側に配置される周辺内部材と、
前記頂部内部材の内面と前記周辺内部材の内面とに跨って配置される連結部材とを備え、
前記連結部材の前記頂部内部材と前記周辺内部材との間の部分が前記頂部外部材と前記周辺外部材との折り畳み軸として前記周辺内部材が前記頂部内部材に対向するように折り畳まれる
ことを特徴とする帽子用保護具。
【請求項２】
前記周辺外部材は、前記頂部外部材の辺の一部に沿う辺が、対応する頂部外部材の辺の一部に重なるように当接される
請求項１に記載の帽子用保護具。
【請求項３】
前記頂部外部材は椀状の頂部側から見て４辺を有する形状であり、
前記周辺外部材は、前記頂部外部材の辺の一部に沿う辺を前記頂部外部材の４辺のうちの１辺に沿う辺としている
請求項１又は２に記載の帽子用保護具。
【請求項４】
前記頂部外部材は、前記４辺のうち帽子の前後方向に対応する２辺に前記周辺外部材をそれぞれ備えている
請求項３に記載の帽子用保護具。
【請求項５】
前記頂部外部材は、前記４辺のうち帽子の左右方向に対応する２辺に前記周辺外部材をそれぞれ備えている
請求項３又は４に記載の帽子用保護具。
【請求項６】
前記周辺外部材は、折り畳まれるとき、それらの周辺内部材が前記頂部内部材に対向するように重ね合わされる
請求項４又は５に記載の帽子用保護具。
【請求項７】
前記連結部材は、前記周辺内部材と同じ材料から形成されている
請求項１〜６のいずれか一項に記載の帽子用保護具。
【請求項８】
前記連結部材は繊維材料から形成されて、前記周辺内部材に固定されている
請求項１〜６のいずれか一項に記載の帽子用保護具。
【請求項９】
前記周辺外部材は、前記頂部外部材に連結される部分となる対の位置に、帽子に設けられる装着用のテープを挟み込んで折り畳まれる方向への移動をガイドする挟み込み部をさらに備える
請求項１〜８のいずれか一項に記載の帽子用保護具。
【請求項１０】
前記頂部外部材は、帽子の左右端に対応する位置に、あご紐を取り付け可能なあご紐取付部をさらに備える
請求項１〜９のいずれか一項に記載の帽子用保護具。
【請求項１１】
請求項１〜１０のいずれか一項に記載の帽子用保護具が内側に組み合わされた帽子。
【請求項１２】
請求項１１に記載の帽子において、
当該帽子はひさしを有し、
前記ひさしは、前記帽子用保護具の頂部外部材の幅と同じ幅に折り畳み可能に形成されている帽子。
【発明の詳細な説明】
【技術分野】
【０００１】
本発明は、帽子に取り付けて用いられる帽子用保護具、及び、該帽子用保護具が取り付けられた帽子に関する。
【背景技術】
【０００２】
従来、頭部に着用され、飛来物や落下物、墜落などから頭部を保護するヘルメットが知られている。こうしたヘルメットは、その外殻が半球状の帽体（シェル）により構成されることで必要とされる強度が確保されている。しかしながら、半球状の帽体は嵩張るため、保管や運搬などには不便である。また、用途によっては、必ずしも半球状ではなくとも必要とされる強度が確保される場合もある。そこで、必要とされる強度を確保しつつ、保管や運搬に便利な帽子が提案されており、その一例が特許文献１に記載されている。
【０００３】
特許文献１に記載の保護帽子は、つぶしてコンパクトな状態にできる帽子である。この保護帽子は、帽子本体を備え、その帽子本体は、柔軟性を有する略三角形状の六枚のれんげを互いに縫い合わせて半球形状に形成した被冠部を備えている。そして、この被冠部の一部につば部を備えている。また、この被冠部は、内面に網状（メッシュ状）の裏布を備え、れんげと裏布との間には、外部から受けた衝撃を和らげるための緩衝体が内蔵されている。緩衝体は、被冠部を構成する各れんげと略同じ大きさ及び形状を有しており、各れんげと対応するよう六箇所に設けられている。各緩衝体は、柔軟性を有する略三角形状の二枚の合成樹脂製の織布を重ね合わせ、外縁部の全周を互いに縫い合わせて綴じた袋体であり、その袋体の内部に衝撃吸収部材を備えている。衝撃吸収部材は、袋体の形状と同じ略三角形状を有し、被冠部の球形状に沿うよう湾曲しており、長さ方向に四分割されている。また、衝撃吸収部材は、外側に硬い合成樹脂製の硬質部を備え、その内側に発泡合成樹脂製の軟質部を重ねて備えている。
【先行技術文献】
【特許文献】
【０００４】
【特許文献１】特許第３８４３１２０号公報
【発明の概要】
【発明が解決しようとする課題】
【０００５】
上記特許文献１に記載の保護帽子によれば、帽子の嵩を減らすことができるようになるものの、衝撃吸収部材の分割数が多いことによる強度の低下が避けられず、用途によっては必要とされる強度を確保することができないことが懸念される。
【０００６】
本発明は、このような実情に鑑みなされたものであって、その目的は、折り畳むことができるうえに、より高い強度を確保することのできる帽子用保護具、及び該帽子用保護具が取り付けられた帽子を提供することにある。
【課題を解決するための手段】
【０００７】
上記課題を解決する帽子用保護具は、帽子の内側に組み合わされることによって帽子に必要とされる衝撃吸収性能を確保する帽子用保護具であって、樹脂材料から形成され、帽子の頂部に対応する椀状の頂部外部材と、前記頂部外部材よりも軟質の樹脂材料から形成され、前記頂部外部材の椀状の内側に配置される頂部内部材と、前記頂部外部材と同等の硬度の樹脂材料から形成され、前記頂部外部材の辺の一部に沿う辺を有し、該頂部外部材の辺の一部に沿う辺が、対応する頂部外部材の辺の一部に当接するように配置される椀状の周辺外部材と、前記周辺外部材よりも軟質の樹脂材料から形成され、前記周辺外部材の椀状の内側に配置される周辺内部材と、前記頂部内部材の内面と前記周辺内部材の内面とに跨って配置される連結部材とを備え、前記連結部材の前記頂部内部材と前記周辺内部材との間の部分が前記頂部外部材と前記周辺外部材との折り畳み軸として前記周辺内部材が前記頂部内部材に対向するように折り畳まれることを要旨とする。
【０００８】
頂部外部材と周辺外部材とは椀状であるため、それらを折り畳むとき、それらの連結部が大きく変形することから連結部を介しての折り畳みが容易ではない。そこで、この構成によるように、頂部外部材よりも軟質の樹脂材料からなる内部材に、同様に頂部外部材よりも軟質の樹脂材料からなる連結部材を配置することによって、頂部外部材と周辺外部材との連結部に柔軟性を付与する。柔軟性のある内部材及び連結部材によって構成される連結部は、その変形に伴って連結部材や内部材を変形させることなどができるため、頂部外部材と周辺外部材とを折り畳むことができるようになる。つまり、連結部材や内部材に、それらの機能を損なわない範囲での変形を許容し、また、内部材と連結部材との部分的な分離（剥離）も許容することなどで、内部材及び連結部材により高い柔軟性が付与される。これにより、目的に応じた強度を確保しつつ、折り畳むことのできる帽子用保護具を提供することができる。
【０００９】
また、頂部外部材と周辺外部材とを椀状のままでも連結できる構造であるため、頂部外部材や周辺外部材を大きい部材として形成きる。部材の大きさを大きくすることによって、外部材や内部材の衝撃吸収性能を高く維持することができる。
【００１０】
好ましい構成として、前記周辺外部材は、前記頂部外部材の辺の一部に沿う辺が、対応する頂部外部材の辺の一部に重なるように当接される。
このような構成によれば、頂部外部材と周辺外部材との当接部分を重ねることで帽子の外側に対する外部材の間の隙間をより小さくすることができるため、衝撃吸収性能がより向上する。
【００１１】
好ましい構成として、前記頂部外部材は椀状の頂部側から見て４辺を有する形状であり、前記周辺外部材は、前記頂部外部材の辺の一部に沿う辺を前記頂部外部材の４辺のうちの１辺に沿う辺としている。
【００１２】
このような構成によれば、頂部外部材が４辺を有する形状、例えば四角形状であることにより、その４辺の曲率が大きくなり直線的になるため、頂部外部材の４辺のうちの１辺に沿う辺を有する周辺外部材を、その沿う辺に沿って折り畳んだときの折り畳まれる部分の形状の変形が小さくなる。これにより、連結部の変形や剥離などをより少なくすることができる。
【００１３】
好ましい構成として、前記頂部外部材は、前記４辺のうち帽子の前後方向に対応する２辺に前記周辺外部材をそれぞれ備えている。
このような構成によれば、頂部外部材の前後に周辺外部材を設けることで、帽子の前後方向への保護範囲を拡張することができるようになる。
【００１４】
好ましい構成として、前記頂部外部材は、前記４辺のうち帽子の左右方向に対応する２辺に前記周辺外部材をそれぞれ備えている。
このような構成によれば、頂部外部材の左右に周辺外部材を設けることで、帽子の左右方向への保護範囲を拡張することができるようになる。特に、前後左右へ保護範囲を拡張することでこうした帽子用保護具を利用することのできる用途の拡大も図られる。
【００１５】
好ましい構成として、前記周辺外部材は、折り畳まれるとき、それらの周辺内部材が前記頂部内部材に対向するように重ね合わされる。
このような構成によれば、複数の周辺外部材が重ね合わされるようにして折り畳まれることで折り畳まれた帽子用保護具をより小さくなるようにすることができる。
【００１６】
好ましい構成として、前記連結部材は、前記周辺内部材と同じ材料から形成されている。
このような構成によれば、周辺内部材と連結部材とを同じ材料とすることで、作成が容易になる。また、連結部材により連結される周辺内部材と連結部材とを一体に形成すれば、帽子用保護具の作成も容易になる。
【００１７】
好ましい構成として、前記連結部材は繊維材料から形成されて、前記周辺内部材に固定されている。
このような構成によれば、連結部材を繊維材料とすることで、折り畳み軸としての強度に適した材料を選択することが容易になる。また、連結部材により連結される内部材を別々に作成することができるため作成にかかる自由度も高い。
【００１８】
好ましい構成として、前記周辺外部材は、前記頂部外部材に連結される部分となる対の位置に、帽子に設けられる装着用のテープを挟み込んで折り畳まれる方向への移動をガイドする挟み込み部をさらに備える。
【００１９】
このような構成によれば、帽子用保護具は、組み合わされる帽子とともに折り畳まれると、周辺外部材が帽子に対して頭部入口方向に移動して帽子との対向位置が移動する。逆に言えば、帽子は、帽子用保護具とともに折り畳まれると、周辺外部材に対して頂部方向に移動して周辺外部材との対向位置が移動する。そこで、帽子に設けられる装着用のテープを挟み込んで移動をガイドする挟み込み部を周辺外部材に設けることで、帽子に組み合わされたときであれ、帽子に組み合わされた帽子用保護具の折り畳みと組み立てとが良好に行われるようになる。
【００２０】
好ましい構成として、前記頂部外部材は、帽子の左右端に対応する位置に、あご紐を取り付け可能なあご紐取付部をさらに備える。
このような構成によれば、帽子用保護具を、頭部に固定することを通じて、こうした帽子用保護具を備える帽子にあっても頭部に固定されるようになる。これにより、帽子用保護具の利便性とともに、組み合わされた帽子の利便性も高められる。
【００２１】
上記課題を解決する帽子は、上記の帽子用保護具が内側に組み合わされたことを要旨とする。
このような構成によれば、帽子に帽子用保護具を組み合わせることで、必要な衝撃吸収性能を備える帽子を得ることができる。これにより、必要な衝撃吸収性能を備える帽子を、保管や運搬が容易な小さい形状とすることができる。
【００２２】
好ましい構成として、上記の帽子において、当該帽子はひさしを有し、前記ひさしは、前記帽子用保護具の頂部外部材の幅と同じ幅に折り畳み可能に形成されている。
このような構成によれば、ひさしを頂部外部材の幅に折り畳むことができるようにすることによって、折り畳まれた帽子を帽子用保護具の大きさに近い大きさまで小さくすることができる。これにより、帽子用保護具を組み合わされた帽子をより小さく折り畳むことができるようになる。
【発明の効果】
【００２３】
このような帽子用保護具、及び、該帽子用保護具が取り付けられた帽子によれば、折り畳むことができるうえに、より高い強度を確保することができるようになる。
【図面の簡単な説明】
【００２４】
【図１】帽子用保護具が具体化された一実施形態について、その帽子用保護具が組み立てられた状態の斜視構造を示す斜視図。
【図２】図１に示す帽子用保護具の正面構造を示す正面図。
【図３】図１に示す帽子用保護具の側面構造を示す側面図。
【図４】図１に示す帽子用保護具の内側となる裏面構造を示す裏面図。
【図５】図２の５−５線における断面構造を示す断面図。
【図６】図３の６−６線における断面構造を示す断面図。
【図７】本実施形態の帽子用保護具が折り畳まれた状態の斜視構造を示す斜視図。
【図８】図７に示す帽子用保護具の正面構造を示す正面図。
【図９】図７に示す帽子用保護具の側面構造を示す側面図。
【図１０】図７に示す帽子用保護具の内側となる裏面構造を示す裏面図。
【図１１】図８の１０−１０線における断面構造を示す断面図。
【図１２】図９の１１−１１線における断面構造を示す断面図。
【図１３】本実施形態の帽子用保護具の組み合わされた帽子の斜視構造を示す斜視図。
【図１４】図１３の１４−１４線における端面構造を示す端面図。
【図１５】帽子用保護具に帽子の装着用のテープを挟み込んだときの斜視構造を示す斜視図。
【図１６】帽子用保護具に部品にあご紐を取り付けたときの斜視構造を示す斜視図。
【図１７】帽子用保護具の組み合わされた帽子の折り畳まれたときの斜視構造を示す斜視図。
【図１８】図１７の１８−１８線における端面構造を示す端面図。
【図１９】帽子用保護具を組み合わされて具体化された帽子の他の実施形態について、組み立てられたときの端面構造を示す端面図。
【図２０】同帽子について、折り畳まれたときの端面構造を示す端面図。
【図２１】帽子用保護具を組み合わされて具体化された帽子のまた他の実施形態について、組み立てられたときの端面構造を示す端面図。
【図２２】帽子用保護具が具体化されたその他の実施形態について、その帽子用保護具が組み立てられた状態における、図６の断面構造に対応する断面構造を示す断面図。
【図２３】帽子用保護具が具体化されたさらに他の実施形態について、その帽子用保護具が組み立てられた状態における、図６の断面構造に対応する断面構造を示す断面図。
【発明を実施するための形態】
【００２５】
帽子用保護具１０が具体化された一実施形態について、図１〜図１８に従って説明する。なお、この帽子用保護具１０は、組み立てられた状態で帽子の内側に組み合わされることで、主に人の頭部に着用される帽子に頭部保護用の性能、いわゆる衝撃吸収性能を付与することができる。こうした頭部保護用の帽子は、作業現場用、スポーツ用、幼児用、緊急時の避難用などの帽子として利用することができる。一方、この帽子用保護具１０は、使用しないときには折り畳んでおくことができる。
【００２６】
まず、組み立てられた状態にある帽子用保護具１０について説明する。
図１〜図６に示すように、帽子用保護具１０は、帽子において頭頂部である頂部に配置される頂部部材１１を備える。頂部部材１１は、帽子の着用者の顔側である前側に前部部材１２が連結され、帽子の着用者の後頭部側である後側に後部部材１３が連結されている。また、頂部部材１１は、帽子の着用者の左側頭部側である左側に左部部材１４が連結され、帽子の着用者の右側頭部側である右側に右部部材１５が連結されている。
【００２７】
頂部部材１１は、頭部とは反対側である外側に頂部を有する椀状に形成される頂部外部材１００を備える。頂部外部材１００は、硬質の樹脂材料からなる緩衝材であって、外面側から見ると角に丸みを有する略四角形状に形成されている。硬質の樹脂材料としては、ポリカーボネート（ＰＣ）、アクリロニトリルブタジエンスチレン（ＡＢＳ）、ポリプロピレン（ＰＰ）、及びポリエチレン（ＰＥ）などの樹脂等が挙げられる。そして、頂部外部材１００は、樹脂材料に応じて、その部材に必要とされる衝撃吸収性能を確保することのできる厚さに形成される。頂部外部材１００は、略四角形状の各辺として、前部側の前辺１１ａと、後部側の後辺１１ｂと、左部側の左辺１１ｃと、右部側の右辺１１ｄとを備えている。なお、各辺を略四角形状の辺とすることで曲率をより大きくして、この形状をより直線的にすることができる。前辺１１ａ、後辺１１ｂ、左辺１１ｃ及び右辺１１ｄはそれぞれ、頂部外部材１００の内側に、頂部外部材１００の厚みを辺の基端から辺の先端に向けて徐々に薄くしていく傾斜部１０２，１０３，１０４，１０５（図４参照）を備え、いわゆる基端から先端に方向への先細り形状になっている。
【００２８】
頂部外部材１００は、左辺１１ｃ及び右辺１１ｄにそれぞれあご紐取付部１１０，１１５を備えている。あご紐取付部１１０，１１５は、対応する左辺１１ｃ及び右辺１１ｄの長さ方向の中間位置に、それら左辺１１ｃ及び右辺１１ｄの延びる方向への長穴として設けられている。あご紐取付部１１０，１１５は、対応する左辺１１ｃ及び右辺１１ｄとの間に、あご紐取付部１１０，１１５の長穴を対応する左辺１１ｃ及び右辺１１ｄに連通させる切り込み部１１１，１１６を備えている。これにより、あご紐取付部１１０，１１５は、切り込み部１１１，１１６を通じて、あご紐（図１６のあご紐６４）を取り付けることができるようになっている。
【００２９】
前部部材１２は、帽子において前頭部に対応する位置に配置される。前部部材１２は、頭部の反対側である外側に頂部を有する椀状に形成された前側の周辺外部材２００を備える。
【００３０】
前側の周辺外部材２００は、頂部外部材１００と同様の硬質の樹脂材料からなる緩衝材であって、外側から見ると角に丸みを有する略四角形状に形成されている。前側の周辺外部材２００は、頂部外部材１００の前辺１１ａに対応する当接辺１２ａを備え、その当接辺１２ａを頂部外部材１００の前辺１１ａに当接させるように組み立てられる。当接辺１２ａは、前側の周辺外部材２００の外側に、前側の周辺外部材２００の厚みを辺の基端から辺の先端に向けて徐々に薄くしていく傾斜部２０１（図５参照）を備え、いわゆる基端から先端に方向への先細り形状になっている。なお、傾斜部２０１の傾斜角度は、対応する頂部外部材１００の傾斜部１０２に対応する角度になっている。これにより、頂部部材１１に前部部材１２が当接するとき、前側の周辺外部材２００の傾斜部２０１が、頂部外部材１００の傾斜部１０２に当接する。つまり外側から見たとき、頂部部材１１と前部部材１２との接続部は、頂部外部材１００と前側の周辺外部材２００とが重なり合って当接し、隙間を生じないようになっている。また、頂部外部材１００と前側の周辺外部材２００との当接によって、帽子用保護具１０が組み立てられたとき、頂部外部材１００と前側の周辺外部材２００との位置関係が組み立てに適切な状態に維持される。
【００３１】
後部部材１３は、帽子において後頭部に対応する位置に配置される。後部部材１３は、前側の周辺外部材２００と同様の材料により同様の椀状に形成された後側の周辺外部材３００を備える。
【００３２】
後側の周辺外部材３００は、その当接辺１３ａを頂部外部材１００の後辺１１ｂに当接させるように組み立てられる。当接辺１３ａは、後側の周辺外部材３００の外側に、傾斜する傾斜部３０１を備え、後側の周辺外部材３００の厚みが辺の基端から辺の先端に向けて徐々に薄くなる先細り形状になっている。なお、傾斜部３０１の傾斜角度は、対応する頂部外部材１００の傾斜部１０３に対応する角度になっている。これにより、頂部部材１１に後部部材１３が当接するとき、後側の周辺外部材３００の傾斜部３０１と頂部外部材１００の傾斜部１０３とが重なり合って当接し、頂部部材１１と後部部材１３との接続部にも隙間が生じない。また、頂部外部材１００と後側の周辺外部材３００との当接によって、帽子用保護具１０が組み立てられたとき、頂部外部材１００と後側の周辺外部材３００との位置関係が組み立てに適切な状態に維持される。
【００３３】
左部部材１４は、帽子において左側頭部に対応する位置に配置される。左部部材１４は、帽子に対向する側である外側に頂部を有する椀状に形成された左側の周辺外部材４００を備える。
【００３４】
左側の周辺外部材４００は、前側の周辺外部材２００と同様の硬質の樹脂材料からなる緩衝材であって、外面側から見ると左辺１１ｃに当接する部分を欠かれた略楕円状に形成されている。左側の周辺外部材４００は、頂部部材１１の左辺１１ｃに対応する当接辺１４ａを備え、その当接辺１４ａを頂部部材１１の左辺１１ｃに当接させるように組み立てられる。当接辺１４ａは、左側の周辺外部材４００の外側に、傾斜する傾斜部４０１を備え、左側の周辺外部材４００の厚みが辺の基端から辺の先端に向けて徐々に薄くなる先細り形状になっている。なお、傾斜部４０１の傾斜角度は、対応する頂部外部材１００の傾斜部１０４に対応する角度になっている。これにより、頂部部材１１に左部部材１４が当接するとき、左側の周辺外部材４００の傾斜部４０１と頂部外部材１００の傾斜部１０４とが重なり合って当接し、頂部部材１１と左部部材１４との接続部にも隙間が生じない。また、頂部外部材１００と左側の周辺外部材４００との当接によって、帽子用保護具１０が組み立てられたとき、頂部外部材１００と左側の周辺外部材４００との位置関係が組み立てに適切な状態に維持される。
【００３５】
右部部材１５は、帽子において右側頭部に対応する位置に配置される。右部部材１５は、左側の周辺外部材４００と同様の材料により同様の椀状に形成された右側の周辺外部材５００を備える。
【００３６】
右側の周辺外部材５００は、その当接辺１５ａを頂部部材１１の右辺１１ｄに当接させるように組み立てられる。当接辺１５ａは、右側の周辺外部材５００の外側に、傾斜する傾斜部５０１を備え、右側の周辺外部材５００の厚みが辺の基端から辺の先端に向けて徐々に薄くなる先細り形状になっている。なお、傾斜部５０１の傾斜角度は、対応する頂部外部材１００の傾斜部１０５に対応する角度になっている。これにより、頂部部材１１に右部部材１５が当接するとき、右側の周辺外部材５００の傾斜部５０１と頂部外部材１００の傾斜部１０５とが重なり合って当接し、頂部部材１１と右部部材１５との接続部にも隙間が生じない。また、頂部外部材１００と右側の周辺外部材５００との当接によって、帽子用保護具１０が組み立てられたとき、頂部外部材１００と右側の周辺外部材５００との位置関係が組み立てに適切な状態に維持される。
【００３７】
なお、各周辺外部材２００，３００，４００，５００はそれぞれ、樹脂材料に応じて、その部材に必要とされる衝撃吸収性能を確保することのできる厚さに形成される。
また、各周辺外部材２００，３００，４００，５００はそれぞれ、頂部外部材１００から離れる側の先端側の辺に、各当接辺１２ａ，１３ａ，１４ａ，１５ａの方向に切り込まれる切り込み部２０６，３０６，４０６，５０６が備えられている。各切り込み部２０６，３０６，４０６，５０６は、それぞれ所定の長さの切り込みとして形成されていて、それら切り込みの先は、更に各当接辺に沿う方向である左右方向の長穴である挟み込み部２０５，３０５，４０５，５０５を備えている。挟み込み部２０５，３０５，４０５，５０５は、帽子用保護具１０を帽子に取り付けるときに使われる長穴であって、これら挟み込み部分に帽子（図１３の帽子６０）に取り付けられた装着用のテープ（図１３の装着用のテープ６０２など）を、切り込み部分を通して取り付けられるようになっている。よって、挟み込み部２０５，３０５，４０５，５０５の長さは、挟み込ませようとする装着用のテープの幅に対応する幅が好ましい。
【００３８】
図４に示すように、頂部外部材１００は、頭部に対向する側である内側に、その内側を略覆う４つの頂部内部材１２０，１３０，１４０，１５０を備えている。４つの頂部内部材１２０，１３０，１４０，１５０は、頂部外部材１００の内側の面（内面）に接着されているとともに、配置される頂部外部材１００と同様の椀状に形成されている。４つの頂部内部材１２０，１３０，１４０，１５０はそれぞれ、硬質の樹脂材料よりも軟質の樹脂材料からなる緩衝材であって、本実施形態では、２つの頂部内部材１２０，１３０は略三角形状に形成されているとともに、２つの頂部内部材１４０，１５０は略台形状に形成されている。軟質の樹脂材料としては、ポリプロピレンの発泡体（ＰＰフォーム）、ポリエチレンの発泡体（ＰＥフォーム）、エチレンビニルアセテートの発泡体（ＥＶＡフォーム）、その他合成樹脂の発泡体等が挙げられる。そして、これら頂部内部材１２０，１３０，１４０，１５０は、樹脂材料に応じて、その部材に必要とされる衝撃吸収性能を確保することのできる厚さに形成される。
【００３９】
頂部外部材１００において、頂部内部材１２０は前辺１１ａに対応する位置を含むように配置されているとともに、前辺１１ａの中央部に対応する位置に前辺１１ａに近い位置まで迫り出す側面１２１を備えている。また頂部外部材１００において、頂部内部材１３０は後辺１１ｂに対応する位置を含むように配置されているとともに、後辺１１ｂの中央部に対応する位置に後辺１１ｂに近い位置まで迫り出す側面１３１を備えている。また、頂部外部材１００において、頂部内部材１４０は左辺１１ｃに対応する位置を含むように配置されているとともに、左辺１１ｃの中央部に対応する位置に左辺１１ｃに近い位置まで迫り出す側面１４１を備えている。また、頂部外部材１００において、頂部内部材１５０は右辺１１ｄに対応する位置を含むように配置されているとともに、右辺１１ｄの中央部に対応する位置に右辺１１ｄに近い位置まで迫り出す側面１５１を備えている。
【００４０】
本実施形態では、各側面１２１，１３１，１４１，１５１は、それぞれが対応する前辺１１ａ，後辺１１ｂ，左辺１１ｃ，右辺１１ｄの辺に沿って延びる方向の長さが、それら対応する辺の長さの半分程度の長さに形成されている。なお、各側面１２１，１３１，１４１，１５１の長さは、それぞれが対応する前辺１１ａ，後辺１１ｂ，左辺１１ｃ，右辺１１ｄの半分程度の長さに限られるものではなく、それより長くても、短くてもよい。
【００４１】
前側の周辺外部材２００は、その内側の面（内面）に、その内面を略覆う周辺内部材２１０を備えている。周辺内部材２１０は、頂部内部材１２０と同様の軟質の樹脂材料からなる緩衝材であって、前側の周辺外部材２００の内面に接着されているとともに前側の周辺外部材２００と同様の椀状に形成されている。周辺内部材２１０は、周辺外部材２００の当接辺１２ａの中央部に対応する位置に側面２１１を備えている。側面２１１は、当接辺１２ａの辺に沿って延びる方向の長さが、当接辺１２ａの長さの半分程度の長さに形成されている。つまり、側面２１１は、当接辺１２ａが当接する頂部内部材１２０の前辺１１ａに対応する側面１２１と略同じ位置に、略同じ長さに形成されている。よって、側面２１１は、帽子用保護具１０が組み立てられたとき、頂部外部材１００の頂部内部材１２０の側面１２１に多少の隙間を有し対向される。
【００４２】
同様に、後部部材１３は、その内面に、その内面を略覆う周辺内部材３１０を備えている。周辺内部材３１０は、周辺内部材２１０と同様の部材から同様の形状に形成されている。周辺内部材３１０は、周辺外部材３００の当接辺１３ａの中央部に対応する位置に、当接辺１３ａの略半分の長さの側面３１１を備えている。よって、帽子用保護具１０が組み立てられたとき、この側面３１１が頂部外部材１００の頂部内部材１３０の側面１３１に多少の隙間を有し対向される。
【００４３】
また、左部部材１４は、その内面に、その内面を略覆う周辺内部材４１０を備えている。周辺内部材４１０は、周辺内部材２１０と同様の部材から形成され、左側の周辺外部材４００の内面に接着されているとともに、左側の周辺外部材４００と同様の椀状に形成されている。周辺内部材４１０は、左側の周辺外部材４００の当接辺１４ａの中央部に対応する位置に当接辺１４ａの略半分の長さの側面４１１を備えている。よって、帽子用保護具１０が組み立てられたとき、この側面４１１が頂部外部材１００の頂部内部材１４０の側面１４１に多少の隙間を有し対向される。
【００４４】
同様に、右部部材１５は、その内面に、その内面を略覆う周辺内部材５１０を備えている。周辺内部材５１０は、周辺内部材４１０と同様の部材から同様の形状に形成されている。周辺内部材５１０は、右側の周辺外部材５００の当接辺１５ａの中央部に対応する位置に当接辺１５ａの略半分の長さの側面５１１を備えている。よって、帽子用保護具１０が組み立てられたとき、この側面５１１が頂部外部材１００の頂部内部材１５０の側面１５１に多少の隙間を有し対向される。
【００４５】
なお、各周辺内部材２１０，３１０，４１０，５１０は、樹脂材料に応じて、その部材に必要とされる衝撃吸収性能を確保することのできる厚さに形成される。
頂部外部材１００の頂部内部材１２０の内面と前部部材１２の周辺内部材２１０の内面とには、連結部材２２０が設けられている。連結部材２２０は、軟質の樹脂材料、本実施形態では樹脂の繊維材料からなり、頂部内部材１２０と周辺内部材２１０との内面形状に合う形状に形成されているとともに、それら内面に接着されている。連結部材２２０は、頂部内部材１２０と周辺内部材２１０とを連結させることで、頂部部材１１に前部部材１２を連結させている。なお、連結部材２２０は、軟質の樹脂材料からなることから、頂部内部材１２０と周辺内部材２１０との間に折り曲げることが可能な連結部を備え、その連結部はいわゆるヒンジとして機能する折り畳み軸を備えている。つまり、この連結部材２２０は、帽子用保護具１０が折り畳まれるときの軸となる、頂部部材１１と前部部材１２との間の折り畳み軸を備えている。
【００４６】
頂部外部材１００の頂部内部材１３０の内面と後部部材１３の周辺内部材３１０の内面とには、連結部材３２０が配置されている。連結部材３２０は、連結部材２２０と同様の材料から、同様の形状に形成されているとともに、配置されている各内面に接着されている。連結部材３２０は、頂部内部材１３０と周辺内部材３１０とを連結させることで、頂部部材１１に後部部材１３を連結させている。なお、連結部材３２０は、頂部内部材１３０と周辺内部材３１０との間に折り曲げることが可能な連結部を備え、その連結部に頂部部材１１と後部部材１３との折り畳み軸を備えている。
【００４７】
頂部外部材１００の頂部内部材１４０の内面と左部部材１４の周辺内部材４１０の内面とには、連結部材４２０が配置されている。連結部材４２０は、連結部材２２０と同様の材料からなり、頂部内部材１４０と周辺内部材４１０との内面形状に合う形状に形成されているとともに、それら内面に接着されている。連結部材４２０は、頂部内部材１４０と周辺内部材４１０とを連結させることで、頂部部材１１に左部部材１４を連結させている。なお、連結部材４２０は、頂部内部材１４０と周辺内部材４１０との間に折り曲げることが可能な連結部を備え、その連結部に頂部部材１１と左部部材１４との折り畳み軸を備える。
【００４８】
頂部外部材１００の頂部内部材１５０の内面と右部部材１５の周辺内部材５１０の内面とには、連結部材５２０が配置されている。連結部材５２０は、連結部材４２０と同様の材料から、同様の形状に形成されているとともに、配置されている各内面に接着されている。連結部材５２０は、頂部内部材１５０と周辺内部材５１０とを連結させることで、頂部部材１１に右部部材１５を連結させている。なお、連結部材５２０は、頂部内部材１５０と周辺内部材５１０との間に折り曲げることが可能な連結部を備え、その連結部に頂部部材１１と右部部材１５との折り畳み軸を備える。
【００４９】
続いて、折り畳まれた状態にある帽子用保護具１０について説明する。
図７〜図１１に示すように、帽子用保護具１０は、頂部部材１１の内側に対向するように、右部部材１５、左部部材１４、前部部材１２及び後部部材１３が折り畳まれている。
【００５０】
右部部材１５は、帽子用保護具１０が折り畳まれるとき、頂部部材１１と右部部材１５との折り畳み軸を回動軸として、組み立てられた状態から内側方向に回動される。これにより、右部部材１５は、その周辺内部材５１０や連結部材５２０が、頂部部材１１の内側の頂部内部材１５０や連結部材５２０などに対向する状態に折り畳まれる。
【００５１】
左部部材１４は、帽子用保護具１０が折り畳まれるとき、頂部部材１１と左部部材１４との折り畳み軸を回動軸として、組み立てられた状態から内側方向に回動される。これにより、左部部材１４は、その周辺内部材４１０や連結部材４２０が、先に折り畳まれた右部部材１５の右側の周辺外部材５００や、頂部部材１１の内側の頂部内部材１４０や連結部材４２０などに対向する状態に折り畳まれる。
【００５２】
前部部材１２は、帽子用保護具１０が折り畳まれるとき、頂部部材１１と前部部材１２との折り畳み軸を回動軸として、組み立てられた状態から内側方向に回動される。これにより、前部部材１２は、その周辺内部材２１０や連結部材２２０が、先に折り畳まれた左部部材１４の左側の周辺外部材４００、右部部材１５の右側の周辺外部材５００、頂部部材１１の内側の頂部内部材１２０や連結部材２２０などに対向する状態に折り畳まれる。
【００５３】
同様に、後部部材１３は、帽子用保護具１０が折り畳まれるとき、頂部部材１１と後部部材１３との折り畳み軸を回動軸として、組み立てられた状態から内側方向に回動される。これにより、後部部材１３は、その周辺内部材３１０や連結部材３２０が、先に折り畳まれた左部部材１４の左側の周辺外部材４００、右部部材１５の右側の周辺外部材５００、頂部部材１１の内側の頂部内部材１３０や連結部材３２０などに対向するように折り畳まれる。
【００５４】
なお、本実施形態では、頂部部材１１の前後方向の長さが、前部部材１２の前後方向の長さと後部部材１３の前後方向の長さとを足した長さよりも長くなるように形成されていることから、折り畳まれたとき、前部部材１２と後部部材１３とが重ならないようになっている。これにより、折り畳まれた帽子用保護具１０の厚みを薄く抑えることができる。
【００５５】
図９及び図１２を参照して、頂部部材１１と左部部材１４との折り畳み軸の動作や作用について説明する。
折り畳まれた状態の帽子用保護具１０を左部部材１４側から見ると、椀状である頂部外部材１００の左辺１１ｃは上方向に頂部を有する弧状となっている一方、椀状である左側の周辺外部材４００の当接辺１４ａは下方向に頂部を有する弧状となる。つまり、組み立てられた状態であれば、左辺１１ｃと当接辺１４ａとの間隔は、それらが対向する位置ならどこでも略同様の間隔に維持されている。ところが、帽子用保護具１０が折り畳まれると、左辺１１ｃと当接辺１４ａとの間の間隔は、それら辺の長さ方向端部における間隔とそれら辺の中央部における間隔とが大きく相違するようになる。このため、頂部部材１１と左部部材１４とを折り畳み可能に連結する連結部は、折り畳まれたとき辺の長さ方向の間隔に生じる相違を吸収することのできる柔軟性を備える必要がある。例えば、連結部が硬質であって柔軟性を備えていないとすると、折り畳みにより頂部部材１１と左部部材１４との間の位置に応じて生じる間隔の違いを吸収することが困難になって、折り畳むことが困難になるおそれがある。
【００５６】
そこで、本実施形態では、連結部は、その連結強度が維持されるとともに、連結する部分の長さ方向に生じる間隔の差が小さくなるようにしている。つまり、頂部内部材１４０の側面１４１と周辺内部材４１０の当接辺１４ａとの長さを左辺１１ｃや当接辺１４ａの半分程度の長さにすることで連結部の長さを短くしている。これにより、連結部が連結させる弧状の辺の長さが短くなるため、２つの弧状の辺の頂部間の間隔と端部間の間隔との差を小さくさせることができるようになる。また、連結部は、連結部材４２０がある程度の伸縮や変形が可能な軟質の樹脂の繊維材料からなるため、連結部に生じる２つの弧状の辺の間隔の差を吸収することができる。また、連結部材４２０が配置される頂部外部材１００の頂部内部材１４０と左部部材１４の周辺内部材４１０とは、連結部材４２０から受ける力により変形することのできる軟質の樹脂材料からなるため、頂部内部材１４０と周辺内部材４１０との変形によっても連結部に生じる２つの弧状の辺の間隔の差を吸収することができる。また、連結部材４２０は、頂部内部材１４０と周辺内部材４１０とに接着されていることから、連結強度を維持できるのであれば、連結部の近傍での多少の剥離などが許容され、こうした剥離などによっても連結部に生じる２つの弧状の辺の間隔の差を吸収することができる。
【００５７】
上述した折り畳み軸の動作や作用は、頂部部材１１と右部部材１５との間の折り畳み軸についてはもちろん、頂部部材１１と前部部材１２との間の折り畳み軸や、頂部部材１１と後部部材１３との間の折り畳み軸についても同様であることから、それらの説明については割愛する。
【００５８】
なお、図１０などに示すように、頂部外部材１００の傾斜部１０２は凸部１０６を備え、前側の周辺外部材２００の傾斜部２０１は凹部２０２を備えている。凸部１０６及び凹部２０２は、頂部外部材１００の傾斜部１０２と前側の周辺外部材２００の傾斜部２０１とが当接するとき、つまり帽子用保護具１０が組み立てられたとき、相互に嵌合する位置及び大きさに形成されている。よって、凸部１０６と凹部２０２とが嵌合されることにより、頂部外部材１００と前側の周辺外部材２００との当接位置が適切に位置決めされるようになっている。同様に、頂部外部材１００の傾斜部１０３は凸部１０７を備え、後側の周辺外部材３００の傾斜部３０１は凹部３０２を備え、頂部外部材１００と後側の周辺外部材３００との当接位置が位置決めされるようになっている。また同様に、頂部外部材１００と左側の周辺外部材４００とは、頂部外部材１００の傾斜部１０４に備える凸部と、左側の周辺外部材４００の傾斜部４０１に備える凹部４０２との嵌合により当接位置が位置決めされる。また同様に、頂部外部材１００と右側の周辺外部材５００とは、頂部外部材１００の傾斜部１０５に備える凸部と、右側の周辺外部材５００の傾斜部５０１に備える凹部との嵌合により当接位置が位置決めされる。凸部（凸部１０６，１０７など）や凹部（２０２，３０２）の形状は、位置決めをすることができるのであれば、上述の形状を相互に入れ替えた形状でも、嵌合するその他の形状でもあってもよい。
【００５９】
次に、帽子用保護具１０の組み合わされた帽子について、図１３〜図１８を参照して説明する。
図１３に示すように、帽子６０は、その内側に帽子用保護具１０が組み合わされている。帽子６０は、着用者の頭部に被さる帽体６１と、帽体６１の前部から帽体６１に一体となって外側に張り出すひさし６２とを備える。帽体６１は、柔軟性を有する部材、例えば繊維材料などにより構成されており、所定の強度を有するとともに、展開や折り畳みを自在に行うことができるようになっている。ひさし６２は、日除けをするとともに、雨や落下物等から着用者の顔面を保護するものであって、帽体６１の頭部入口から外周方向へ突出する。ひさし６２は、基端である帽体６１の頭部入口から先端まで２本の折り目６３が設けられている。２本の折り目６３は、頂部外部材１００の左右方向の幅と略同じ間隔で設けられ、２本の折り目６３で折り畳まれたひさし６２はその幅が頂部外部材１００の左右方向の幅と略同じ幅になるようになっている。
【００６０】
図１４に示すように、帽体６１は、帽子６０の前部であって、頭部に対向する側である内側に、帽子６０の頂部側から頭部入口側に前側の装着用のテープ６２０が延設されている。前側の装着用のテープ６２０は、繊維材料からなる細長いテープであって、所定の長さ及び所定の幅を有する。前側の装着用のテープ６２０は、展開された帽子６０の内側に沿うように配置されているとともに、長さ方向の両端部がそれぞれ帽体６１に取り付けられている。つまり、前側の装着用のテープ６２０は、両端部以外の部分を帽体６１の内側に対して接離自由になっている。同様に、帽体６１は、帽子６０の後部には、後側の装着用のテープ６３０が取り付けられ、帽子６０の左部には、左側の装着用のテープ６４０が取り付けられ、帽子６０の右部には、右側の装着用のテープが取り付けられている。
【００６１】
図１５に示すように、帽子用保護具１０は、前側の周辺外部材２００の挟み込み部２０５に装着用のテープ６２０を挟み込むことができる。つまり、挟み込み部２０５は、装着用のテープ６２０を、装着用のテープ６２０の幅方向への移動を規制し、かつ、装着用のテープ６２０の長さ方向への移動を可能に挟み込む。これによって、挟み込み部２０５は、装着用のテープ６２０を挟み込むことで、帽体６１において装着用のテープ６２０の長さ方向に摺動可能に取り付けられるようになる。
【００６２】
なお、同様に、帽子用保護具１０は、後側の周辺外部材３００の挟み込み部３０５に後側の装着用のテープ６３０を挟み込むことができ、左側の周辺外部材４００の挟み込み部４０５に左側の装着用のテープ６４０を挟み込むことができ、右側の周辺外部材５００の挟み込み部５０５に右側の装着用のテープを挟み込むことができる。これによって、後側の挟み込み部３０５は、後側の装着用のテープ６３０の長さ方向に移動可能に取り付けられ、左側の挟み込み部４０５は、左側の装着用のテープ６４０の長さ方向に移動可能に取り付けられ、右側の挟み込み部５０５は、右側の装着用のテープの長さ方向に移動可能に取り付けられる。
【００６３】
また、帽子用保護具１０は、各挟み込み部２０５，３０５，４０５，５０５に装着用のテープ６２０，６３０，６４０を挟み込んでいるだけであることから、帽子６０に対して着脱可能に組み合わされているようにもなっている。
【００６４】
図１６に示すように、帽子用保護具１０は、あご紐取付部１１０，１１５に、あご紐６４の端部に形成された取り付け用環状部がそれぞれ取り付けられる。そして、帽子６０の内側に取り付けられた帽子用保護具１０が、あご紐６４を介して着用者の頭部に固定されることを通じて、帽子用保護具１０の取り付けられている帽子６０が着用者の頭部に固定されるようにもなる。これにより、帽子用保護具１０の取り付けられている帽子６０の利便性などが向上する。
【００６５】
図１７に示すように、帽子６０は展開された状態から折り畳むことができる。折り畳まれた帽子６０は、帽体６１が頂部外部材１００の周囲を覆う大きさの頂部部分と、その頂部部分へ折り返されるように頂部部分の周囲の部分が折り畳まれる。また、ひさし６２は、折り目６３で折り畳まれて頂部外部材１００の左右方向の幅と略同じ幅になっているため、頂部部分に折り返された状態で、頂部部分の左右の幅からはみ出さないようになっている。また、本実施形態では、ひさし６２の長さを、折り畳まれた状態で頂部部分の後側から突出しない長さにしている。これにより、折り畳まれた帽子６０の大きさが頂部部分よりも広がらないようにしている。
【００６６】
ところで、図１８に示すように、帽子用保護具１０の組み合わされた帽子６０が折り畳まれると、帽子６０の内側の帽子用保護具１０の各周辺外部材２００，３００，４００，５００と帽体６１の内面とは、それらが対向する位置が組み立てられているときの位置から移動する。つまり、前側の周辺外部材２００を折り畳むと、帽体６１の前部は前側の周辺外部材２００を、頂部方向に移動する。逆に言えば、前側の周辺外部材２００は帽体６１の前部を、帽体６１の頭部入口方向に移動する。前側の周辺外部材２００は、帽体６１の前側の装着用のテープ６２０に、摺動可能に取り付けられているため、折り畳まれるとき、帽子６０に取り付けられたままで、帽体６１の前部との間に生じるずれに応じた距離を装着用のテープ６２０に沿って移動する。
【００６７】
同様に、帽子６０が折り畳まれることによって、後側の周辺外部材３００は帽体６１の後部を帽体６１の頭部入口方向に移動し、左側の周辺外部材４００は帽体６１の左部を帽体６１の頭部入口方向に移動し、右側の周辺外部材５００は帽体６１の右部を帽体６１の頭部入口方向に移動する。
【００６８】
これによって、帽子６０は、帽子用保護具１０が組み合わされた状態で、帽体６１を突っ張らせることなく折り畳むことができる。なお逆に、折り畳まれた帽子６０が展開されるときは、帽子用保護具１０の各周辺外部材２００，３００，４００，５００は、各装着用のテープを頂部方向に移動する。これによって、帽子６０は、帽子用保護具１０が組み合わされた状態で折り畳まれた状態から展開することもできるようになる。
【００６９】
ところで、例えば、こうした帽子に求められる性能の規格の一例に、ＢＳ（英国規格）やＥＮ（欧州規格）である、ＢＳ  ＥＮ  ８１２：２０１２「Ｉｎｄｕｓｔｒｉａｌ  ｂｕｍｐ  ｃａｐｓ」（工業用バンプキャップ）などが挙げられる。このＢＳ  ＥＮ  ８１２：２０１２では、衝撃吸収性能の検査として、バンプキャップを人頭模型に正面上向きに被せ、重さ５ｋｇ、φ１００ｍｍの平面ストライカーを高さ２５０ｍｍから、ヘルメットの前頭部に自由落下させることを行う。また、同検査を、バンプキャップを逆にし、後頭部でも行う。また、耐貫通性能の検査として、バンプキャップを人頭模型に被せ、重さ５００ｇ、先端角度６０°の円錐形ストライカーを高さ５００ｍｍから、ヘルメットの頂部を中心とするφ１００ｍｍの円周内に自由落下させることを行う。さらに、あご紐固定部の強度の検査として、バンプキャップを人頭模型に被せ、あご紐をセットし１５０Ｎの張力をかけ、２０Ｎ／ｍｉｎの速度で外れるまで引っ張ることを行う。
【００７０】
そして、本実施形態の帽子用保護具１０を組み合わされた帽子６０は、上述した性能の規格に対する検査に合格することのできる衝撃吸収性能や、耐貫通性能や、あご紐固定部の強度を備えることができる。
【００７１】
つまり、本実施形態の帽子用保護具や帽子によれば、折り畳むことができるうえに、より高い強度を確保することのできる帽子用保護具や帽子を提供することができる。
以上説明したように、本実施形態の帽子用保護具や帽子によれば、以下に列記するような効果が得られるようになる。
【００７２】
（１）頂部外部材１００と周辺外部材２００，３００，４００，５００とは椀状であるため、それらを折り畳むとき、それらの連結部が大きく変形することから連結部を介しての折り畳みが容易ではない。そこで、この構成によるように、頂部外部材１００よりも軟質の樹脂材料からなる頂部内部材１２０及び周辺内部材２１０に、同様に頂部外部材１００よりも軟質の樹脂材料からなる連結部材２２０を配置することによって、頂部外部材１００と周辺外部材２００との連結部に柔軟性を付与する。柔軟性のある頂部内部材１２０及び周辺内部材２１０及び連結部材２２０によって構成される連結部は、その変形に伴って連結部材２２０や頂部内部材１２０及び周辺内部材２１０を変形させることなどができるため、頂部外部材１００と周辺外部材２００とを折り畳むことができるようになる。つまり、連結部材２２０や頂部内部材１２０及び周辺内部材２１０に、それらの機能を損なわない範囲での変形を許容し、また、頂部内部材１２０及び周辺内部材２１０と連結部材２２０との部分的な分離（剥離）も許容することなどで、頂部内部材１２０、周辺内部材２１０及び連結部材２２０により高い柔軟性が付与される。これにより、目的に応じた強度を確保しつつ、折り畳むことのできる帽子用保護具１０を提供することができる。
【００７３】
また、頂部外部材１００と周辺外部材２００とを椀状のままでも連結できる構造であるため、頂部外部材１００や周辺外部材２００を大きい部材として形成きる。部材の大きさを大きくすることによって、頂部外部材１００、周辺外部材２００、頂部内部材１２０及び周辺内部材２１０の衝撃吸収性能を高く維持することができる。
【００７４】
（２）
頂部外部材１００と周辺外部材２００との当接部分を重ねることで帽子の外側に対する頂部外部材１００と周辺外部材２００との間の隙間をより小さくすることができるため、これによっても衝撃吸収性能が向上する。
【００７５】
（３）頂部外部材１００が４辺を有する形状、例えば四角形状であることにより、その４辺の曲率が大きくなり直線的になるため、頂部外部材１００の４辺のうちの１辺に沿う辺を有する周辺外部材２００を、その沿う辺に沿って折り畳んだときの折り畳まれる部分の形状の変形が小さくなる。これにより、連結部の変形や剥離などをより少なくすることができる。
【００７６】
（４）頂部外部材１００の前後に周辺外部材２００，３００を設けることで、帽子６０の前後方向への保護範囲を拡張することができるようになる。
（５）頂部外部材１００の左右に周辺外部材４００，５００を設けることで、帽子６０の左右方向への保護範囲を拡張することができるようになる。特に、前後左右へ保護範囲を拡張することでこうした帽子用保護具１０を利用することのできる用途の拡大も図られる。
【００７７】
（６）複数の周辺外部材２００，３００，４００，５００が重ね合わされるようにして折り畳まれることで折り畳まれた帽子用保護具１０をより小さくなるようにすることができる。
【００７８】
（７）連結部材２２０，３２０，４２０，５２０を繊維材料とすることで、折り畳み軸としての強度に適した材料を選択することが容易になる。また、連結部材２２０，３２０，４２０，５２０により連結される周辺内部材や頂部外部材を別々に作成することができるため作成にかかる自由度も高い。
【００７９】
（８）帽子用保護具１０は、組み合わされる帽子６０とともに折り畳まれると、周辺外部材２００が帽子６０に対して頭部入口方向に移動して帽子６０との対向位置が移動する。逆に言えば、帽子６０は、帽子用保護具１０とともに折り畳まれると、周辺外部材２００に対して頂部方向に移動して周辺外部材２００との対向位置が移動する。そこで、帽子６０に設けられる装着用のテープ６２０を挟み込んで移動をガイドする挟み込み部２０５を周辺外部材２００に設けることで、帽子６０に組み合わされたときであれ、帽子６０に組み合わされた帽子用保護具１０の折り畳みと組み立てとが良好に行われるようになる。
【００８０】
（９）帽子用保護具１０を、あご紐６４を通じて頭部に固定することで、こうした帽子用保護具１０を備える帽子６０にあっても頭部に固定されるようになる。これにより、帽子用保護具１０の利便性とともに、組み合わされた帽子６０の利便性も高められる。
【００８１】
（１０）帽子６０に帽子用保護具を組み合わせることで、必要な衝撃吸収性能を備える帽子６０を得ることができる。これにより、必要な衝撃吸収性能を備える帽子６０を、保管や運搬が容易な小さい形状とすることができる。
【００８２】
（１１）ひさし６２を頂部外部材１００の幅に折り畳むことができるようにすることによって、折り畳まれた帽子６０を帽子用保護具１０の大きさに近い大きさまで小さくすることができる。これにより、帽子用保護具１０を組み合わされた帽子６０をより小さく折り畳むことができるようになる。
【００８３】
（その他の実施形態）
なお上記実施形態は、以下の態様で実施することもできる。
・上記実施形態では、帽子６０の装着用のテープ６２０，６３０，６４０を通じて帽子用保護具１０を帽子６０に取り付ける場合について例示した。しかしこれに限らず、折り畳みのときに帽体と帽子用保護具との間に生じるずれを吸収できるのであれば、帽子用保護具は帽子に、その他の取り付け方法で取り付けられていてもよい。
【００８４】
例えば、図１９及び図２０に示すように、帽体６１の頭部入口側の内側に帽子用保護具１０を取り付けるためのポケット６５を設けるとともに、前側の周辺外部材２００や後側の周辺外部材３００の先端にそれぞれ、帽子用保護具１０のポケット６５に差し込むための差し込み部２３０，３３０を設けてもよい。そして、ポケット６５に差し込み部２３０，３３０を差し込むことで帽子用保護具１０を帽子６０に取り付けてもよい。また、帽子６０が折り畳まれたとき、差し込み部２３０，３３０がポケット６５の最深部まで入り込むようにすればよい。一方、帽子６０が展開されたとき、折り畳まれるときのずれを吸収するため、ポケット６５の奧と差し込み部２３０の先端との間には長さＬ２０を確保するようにし、ポケット６５の縁と前側の周辺内部材２１０の先端との間には長さＬ２１を確保するようにすればよい。同様に、帽子６０が展開されたとき、ポケット６５の奧と差し込み部３３０の先端との間には長さＬ３０を、ポケット６５の縁と後側の周辺内部材３１０の先端との間には長さＬ３１をそれぞれ確保するようにすればよい。
【００８５】
なお、同様に、左側の周辺外部材４００や右側の周辺外部材５００の先端にそれぞれ、ポケット６５に差し込むための差し込み部を設け、その差し込み部をポケット６５に差し込むようにしてもよい。
【００８６】
これにより、帽子用保護具の適用範囲の拡大を図ることができるようになる。また、帽子用保護具の組み合わされる帽子の構造を簡単にすることもできる。
・上記実施形態では、帽子用保護具１０が帽子６０に常に組み合わせている場合について例示した。しかしこれに限らず、帽子が展開されたとき帽子用保護具を組み合わせるようにしてもよい。
【００８７】
例えば、図２１に示すように、帽体６１の頭部入口側の内側に帽子用保護具１０を嵌合させる嵌合部６６を設けるとともに、前側の周辺外部材２００や後側の周辺外部材３００の先端にそれぞれ、帽子用保護具１０の嵌合部６６に差し込むための差し込み部２４０，３４０を設けてもよい。そして、帽子用保護具１０を組み合わせることが必要になったとき、帽子用保護具１０を組み立て、各差し込み部２４０，３４０を帽子用保護具１０の嵌合部６６に差し込めばよい。
【００８８】
また例えば、帽子用保護具の頂部外部材や周辺外部材、及び、それらが対向する帽体の内側の両方もしくは一方にマジックテープ（登録商標）、両面テープなどの取付部材を設けることで、帽子が展開されたときその帽子の内側に帽子用保護具を取り付けることができるようにしてもよい。
【００８９】
これらにより、通常は、帽子用保護具を折り畳んでおき、必要なときに組み立てて帽子に組み合わせるようにすることができる。換言すれば、帽子を、通常は一般的な帽子として利用し、必要なときには帽子用保護具を取り付けて利用することができる。
【００９０】
これにより、帽子用保護具の適用範囲の拡大を図ることができるようになる。また、帽子用保護具の組み合わされる帽子の構造をより簡単にすることもできる。
・上記実施形態では、装着用のテープ６２０，６３０，６４０が繊維材料から形成される場合について例示した。しかしこれに限らず、帽子用保護具の挟み込み部に挟み込むことが可能であれば、樹脂のシート材など、繊維材料以外から構成されていてもよい。これにより、帽子用保護具の設計自由度の向上が図られるようになる。
【００９１】
・上記実施形態では、帽体６１は、繊維材料などにより構成されている場合について例示した。しかしこれに限らず、帽体は、頭部に被ることができるのであれば、軟質の樹脂や、硬質の樹脂など、繊維材料以外の材料から形成されていてもよい。これにより、帽子用保護具の適用範囲の拡大が図られるようになる。
【００９２】
・上記実施形態では、硬質の樹脂材料がＰＣ、ＡＢＳ、ＰＰ、又はＰＥなどである場合について例示した。しかしこれに限らず、頂部外部材や各周辺外部材に必要な衝撃吸収性能を確保することができるのであれば、その他の種類の合成樹脂から形成されていてもよい。これにより、帽子用保護具の設計自由度の向上が図られるようになる。
【００９３】
・上記実施形態では、頂部外部材１００や各周辺外部材２００，３００，４００，５００が同様の材料から形成されている場合について例示した。しかしこれに限らず、頂部外部材や各周辺外部材の少なくとも一部が、他と異なる材料から形成されていてもよい。これにより、帽子用保護具の設計自由度の向上が図られるようになる。
【００９４】
・上記実施形態では、頂部外部材１００にはあご紐取付部１１０，１１５などが設けられている場合について例示した。しかしこれに限らず、帽子を頭部に固定することができるなど、帽子用保護具にあご紐取付部を必要としないようなとき、頂部外部材にはあご紐取付部が形成されなくてもよい。これにより、帽子用保護具の設計自由度の向上が図られるようになる。
【００９５】
・上記実施形態では、各周辺外部材２００，３００，４００，５００には挟み込み部２０５，３０５，４０５，５０５などが設けられている場合について例示した。しかしこれに限らず、帽子用保護具が挟み込み部を必要としない方法で帽子の内側に取り付けられるようなとき、各周辺外部材には挟み込み部が形成されなくてもよい。これにより、帽子用保護具の設計自由度の向上が図られるようになる。
【００９６】
・上記実施形態では、軟質の樹脂材料がＰＰフォーム、ＰＥフォーム、又はＥＶＡフォームなどである場合について例示した。しかしこれに限らず、頂部内部材や各周辺内部材に必要な衝撃吸収性能を確保することができるのであれば、その他の種類の合成樹脂からなる発泡体や、軟質な部材などから形成されていてもよい。これにより、帽子用保護具の設計自由度の向上が図られるようになる。
【００９７】
・上記実施形態では、各頂部内部材１２０，１３０，１４０，１５０や各周辺内部材２１０，３１０，４１０，５１０が同様の材料から形成されている場合について例示した。しかしこれに限らず、各頂部内部材や各周辺内部材の少なくとも一部が、他と異なる材料から形成されていてもよい。これにより、帽子用保護具の設計自由度の向上が図られるようになる。
【００９８】
・上記実施形態では、各周辺内部材２１０，３１０，４１０，５１０の側面２１１，３１１，４１１，５１１はそれぞれ、対応する頂部内部材１２０，１３０，１４０，１５０の側面１２１，１３１，１４１，１５１に多少の隙間を有し対向される場合について例示した。しかしこれに限らず、組み立てられたとき、各周辺内部材の側面と対応する頂部内部材の側面とが当接するなど、隙間がなくてもよい。頂部内部材や周辺内部材は、柔軟な樹脂材料から構成されるため、当接する側面の間に多少の公差が生じていたとしても変形によって吸収して、組み立てに影響を及ぼすおそれは小さい。これにより、帽子用保護具の設計自由度の向上が図られるようになる。
【００９９】
・上記実施形態では、各連結部材２２０，３２０，４２０，５２０には１つの連結部が設けられる場合について例示した。しかしこれに限らず、各連結部材には連結部が複数設けられてもよい。連結部を複数設けることで、湾曲している折り畳み部分に、折り畳みに適した折り畳み軸を設けることができるようにもなる。これにより、帽子用保護具の設計自由度の向上が図られるようになる。
【０１００】
・上記実施形態では、各連結部材２２０，３２０，４２０，５２０は、樹脂の繊維材料から形成されている場合について例示した。このとき、繊維材料は、織られたものであってもよいし、不織布であってもよい。また、各連結部材は繊維材料であれば、麻や木綿などの天然繊維など樹脂製以外の材料から形成されていてもよい。これにより、帽子用保護具の設計自由度の向上が図られるようになる。
【０１０１】
・上記実施形態では、各連結部材２２０，３２０，４２０，５２０は、繊維材料から形成されている場合について例示した。しかしこれに限らず、連結部材は、連結部としての柔軟性と強度とを備えていれば、軟性の樹脂材料のシート材などから形成されていてもよい。これにより、帽子用保護具の設計自由度の向上が図られるようになる。
【０１０２】
・上記実施形態では、各連結部材２２０，３２０，４２０，５２０は、各頂部内部材１２０，１３０，１４０，１５０や周辺内部材２１０，３１０，４１０，５１０とは別の部材である場合について例示した。しかしこれに限らず、各連結部材は、各頂部内部材及び周辺内部材の少なくとも一方と同じ部材であってもよい。例えば、連結部材が頂部内部材と一体成形されて周辺内部材に接着されていてもよいし、連結部材が周辺内部材と一体成形されて頂部内部材に接着されていてもよいし、連結部材、周辺内部材、及び頂部内部材とが一体成形されていてもよい。これにより、連結部材と周辺内部材とが同じ材料から形成されるようにしたり、帽子用保護具を構成する部品数を減らしたり、製造工数を減らしたりすることができるようになるとともに、帽子用保護具の設計自由度の向上が図られるようになる。
【０１０３】
・上記実施形態では、頂部外部材１００の傾斜部１０２，１０３，１０４，１０５、及び、各周辺外部材２００，３００，４００，５００の傾斜部２０１，３０１，４０１，５０１は先細り形状である場合について例示した。しかしこれに限らず、頂上外部材と周辺外部材とは重なり合うことができる形状であれば、頂上外部材の傾斜部（当接部）や周辺外部材の傾斜部（当接部）が先細り形状以外の形状であってもよい。
【０１０４】
例えば、図２２に示すように、頂部外部材１００の当接部１０５Ａの先端を内側が薄くなる段状に形成し、右側の周辺外部材５００の当接部５０１Ａの先端を外側が薄くなる段状に形成してもよい。これにより、帽子用保護具の設計自由度の向上が図られる。
【０１０５】
また、頂部外部材１００の当接部１０５Ａと右側の周辺外部材５００の当接部５０１Ａとを対応する形状とすることで頂部外部材１００と右側の周辺外部材５００との重ね合わせの部分に生じる隙間が小さくもなる。
【０１０６】
なお、頂部外部材１００と前側、後側、及び左側の周辺外部材との当接についても、上述した頂部外部材１００と右側の周辺外部材５００との当接と同様に先細り形状以外の階段状などであってもよい。
【０１０７】
・上記実施形態では、頂部外部材１００の傾斜部１０２，１０３，１０４，１０５はそれらに対応する各周辺外部材２００，３００，４００，５００の傾斜部２０１，３０１，４０１，５０１に重なり合うように当接する場合について例示した。しかしこれに限らず、頂部外部材の傾斜部（当接部）とそれらに対応する各周辺外部材の傾斜部（当接部）とは、当接するのであれば、重なりが少なかったり、重なりがなかったりしてもよい。
【０１０８】
例えば、図２３に示すように、頂部外部材１００の先端に端面としての当接部１０５Ｂを形成し、その当接部１０５Ｂに対向する端面を右側の周辺外部材５００の先端に当接部５０１Ｂとして形成してもよい。これによっても、頂部外部材１００と右側の周辺外部材５００との間の隙間を小さくすることができる。
【０１０９】
なお、頂部外部材１００と前側、後側、及び左側の周辺外部材との当接についても、上述した頂部外部材１００と右側の周辺外部材５００との当接と同様に重なりがな意などの態様であってもよい。
【０１１０】
・上記実施形態では、頂部外部材１００の傾斜部１０２，１０３，１０４，１０５とそれらに対応する各周辺外部材２００，３００，４００，５００の傾斜部２０１，３０１，４０１，５０１とは全てが同様に重なり合って当接する場合について例示した。しかしこれに限らず、頂部外部材と各周辺外部材とはそれぞれ当接するのであれば、それらの当接のうちの少なくとも１つの当接の態様が他の当接の態様と異なる態様であってもよい。これにより、帽子用保護具の設計自由度の向上が図られる。
【０１１１】
・上記実施形態では、折り畳まれたとき、前部部材１２と後部部材１３とが重ならない場合について例示した。しかしこれに限らず、前部部材と後部部材とが重なるような構造であってもよい。
【０１１２】
また、上記実施形態では、折り畳まれたとき、左部部材１４と右部部材１５とが重なる場合について例示した。しかしこれに限らず、左部部材と右部部材とが重ならないような構造であってもよい。
【０１１３】
すなわち、折り畳まれたときの重なりの態様は、頂部部材、前部部材、後部部材、左部部材及び右部部材にそれぞれ必要とされる大きさに応じて適宜選択することができる。これにより、帽子用保護具の設計自由度の向上が図られるようになる。
【０１１４】
・上記実施形態では、頂部部材１１の前後左右に前部部材１２、後部部材１３、左部部材１４、及び、右部部材１５が接続されている場合について例示した。しかしこれに限らず、頂部部材には、前部部材、後部部材、左部部材、及び、右部部材のうちの少なくとも１つが連結されていればよい。例えば、頂部と前側に衝撃吸収性能が必要であれば、頂部外部材に前部部材が連結されていればよいし、頂部と前後に衝撃吸収性能が必要であれば、頂部外部材に前部部材と後部部材とが連結されていればよい。また、頂部と左右に衝撃吸収性能が必要であれば、頂部外部材に左部部材と右部部材とが連結されていればよい。これにより、帽子用保護具の設計自由度の向上が図られるようになる。
【０１１５】
・上記実施形態では、頂部部材１１には前後左右に４つの部材が連結される場合について例示した。しかしこれに限らず、頂部部材には前後左右に４つ以上の部材が連結されてもよいし、前後左右以外の方向に部材が連結されてもよい。これにより、帽子用保護具の設計自由度の向上が図られるようになる。
【符号の説明】
【０１１６】
１０…帽子用保護具、１１…頂部部材、１１ａ…前辺、１１ｂ…後辺、１１ｃ…左辺、１１ｄ…右辺、１２…前部部材、１３…後部部材、１４…左部部材、１５…右部部材、１２ａ，１３ａ，１４ａ，１５ａ…当接辺、６０…帽子、６１…帽体、６３…折り目、６４…紐、６５…ポケット、６６…嵌合部、１００…頂部外部材、１０２，１０３，１０４，１０５…傾斜部、１０５Ａ，１０５Ｂ…当接部、１１０，１１５…紐取付部、１１１，１１６…切り込み部、１２０，１３０，１４０，１５０…頂部内部材、１２１，１３１，１４１，１５１…側面、２００…前側の周辺外部材、２０１…傾斜部、２０５…挟み込み部、２０６…切り込み部、２１０…前側の周辺内部材、２１１…側面、２２０…連結部材、３００…後側の周辺外部材、３０１…傾斜部、３０５…挟み込み部、３０６…切り込み部、３１０…後側の周辺内部材、３１１…側面、３２０…連結部材、４００…左側の周辺外部材、４０１…傾斜部、４０５…挟み込み部、４０６…切り込み部、４１０…左側の周辺内部材、４１１…側面、４２０…連結部材、５００…右側の周辺外部材、５０１…傾斜部、５０１Ａ，５０１Ｂ…当接部、５０５…挟み込み部、５０６…切り込み部、５１０…右側の周辺内部材、５１１…側面、５２０…連結部材、６２０，６３０，６４０…装着用のテープ。
【図１】
2014234563.tif 000003
【図２】
2014234563.tif 000004
【図３】
2014234563.tif 000005
【図４】
2014234563.tif 000006
【図５】
2014234563.tif 000007
【図６】
2014234563.tif 000008
【図７】
2014234563.tif 000009
【図８】
2014234563.tif 000010
【図９】
2014234563.tif 000011
【図１０】
2014234563.tif 000012
【図１１】
2014234563.tif 000013
【図１２】
2014234563.tif 000014
【図１３】
2014234563.tif 000015
【図１４】
2014234563.tif 000016
【図１５】
2014234563.tif 000017
【図１６】
2014234563.tif 000018
【図１７】
2014234563.tif 000019
【図１８】
2014234563.tif 000020
【図１９】
2014234563.tif 000021
【図２０】
2014234563.tif 000022
【図２１】
2014234563.tif 000023
【図２２】
2014234563.tif 000024
【図２３】
2014234563.tif 000025